(57)【要約】【課題】撮像装置の鏡胴ユニット等の光学系を光軸調整（又は、調心）する光軸調整装置において、光軸調整値を目標値（目標中央値）に精度よく持っていく、及び、効率よく調整作業を行う。【解決手段】調心工程後の固着工程で生じる予想ズレ量を事前評価工程（ステップＳ１）で把握しておき、調心工程（ステップＳ２〜ステップＳ８の繰り返し）において予想ズレ量を加味して目標値を設定する（ステップＳ４）。目標値が操作者の所望の値に変更可能であり、また、調整状態が規格内にあるかないかを、色分け及び／又は記号で表現して一目瞭然に表示する表示部を備える光軸調整装置を提供する。【選択図】図１３
2008046571.tif 000002
【特許請求の範囲】
【請求項１】
光学系の光軸調整をする光軸調整手段と、
該光軸調整手段による調整状態を検出する調整状態検出手段と、
調整目標値を操作者の所望の値に設定する設定手段と、
前記調整状態検出手段によって検出された前記調整状態と前記設定手段によって設定された前記調整目標値とを表示する表示手段と、
前記調整状態が前記調整目標値を満足する状態であるか否かを演算して判定する演算手段と、
を有することを特徴とする光軸調整装置。
【請求項２】
１つの光学系につき調整を実行する箇所を複数有することを特徴とする請求項１記載の光軸調整装置。
【請求項３】
前記設定手段は、前記調整目標値に応じて許容できる設定の幅である目標幅を、操作者の所望の幅に設定することを特徴とする請求項１又は２記載の光軸調整装置。
【請求項４】
前記演算手段は、前記調整状態が前記目標幅の範囲内にあるか否かを判定し、該判定結果は、前記表示手段によって表示されることを特徴とする請求項３記載の光軸調整装置。
【請求項５】
前記判定結果は、前記表示手段によって表示色の色分けで表示されることを特徴とする請求項４記載の光軸調整装置。
【請求項６】
前記判定結果は、前記表示手段によって記号で表示されることを特徴とする請求項４又は５記載の光軸調整装置。
【請求項７】
請求項１から６のいずれか１項記載の光軸調整装置によって光軸を調整されて製造されることを特徴とする鏡胴ユニット。
【請求項８】
請求項７記載の鏡胴ユニットを有することを特徴とする撮像装置。
【請求項９】
光軸調整装置による光学系の光軸調整工程と、該光軸調整工程後に前記光学系を保持枠に固着する固着工程と、該固着工程後に生じたズレ量を測定するズレ量測定工程と、を有する事前評価工程と、
前記ズレ量測定工程によって測定されたズレ量を加味して調整目標値を設定する目標値設定工程と、
前記調整目標値に合わせて調整を実行する調整実行工程と、
を有することを特徴とする鏡胴ユニットの製造方法。
【発明の詳細な説明】
【技術分野】
【０００１】
本発明は、光学系の光軸を合わせるための光軸調整装置、その光軸調整装置を用いて調整を施した鏡胴ユニット、その鏡胴ユニットを製造するための方法、及び、その鏡胴ユニットを有する撮像装置に関する。中でも特に、デジタルカメラの撮影レンズ偏心調整装置の表示装置に関する。
【背景技術】
【０００２】
近年、デジタルカメラなどに用いられる光学系では、高解像化やコンパクト化が高い程度で求められるため、非球面レンズが多用されている。このような光学系では、部分的に高感度になる光学素子などが有るため、光軸の偏心量を高精度で調整し、コントラストや解像力をバランスの取れた状態にする必要がある。
この光軸の調整では、光軸の偏心量を数μｍ以内に収めることが要求される。
【０００３】
光学機器においては、一般に、レンズ等の光学素子への入射光量を制限する手段、もしくは不要な光を制限する手段として、光学系内の所要個所に絞りを設ける必要がある。また、最近の、例えばカメラ等の光学機器においては、小型化および高画質化が要求されており、それらの要求を達成させるために、光学系内の偏心感度の高い個所については、レンズの光軸を整合させて偏心を除去する光軸合わせのための位置調整、すなわち調心、を行うことが必要不可欠となっている。したがって、不要な光を制限する手段としての絞りの適切な配置と、偏心感度の高いレンズの調心が、撮影光学系の高画質化を達成する上で重要となっている。
【０００４】
上記の撮影光学系の高画質化を達成するための課題の中でも、レンズの調心（以下、光軸調整）については、その光軸調整工程において、以下に説明する、いわゆる「困りごと」がある。
【０００５】
光軸調整の工程において、調整精度は、調整後に目標値にあわせこむことは可能である。しかしながら、調整後に調整したレンズやレンズ枠などの光学部品を「固着手段」により固定する場合、接着剤の硬化収縮や部品の変形等により、調整後の調整位置よりズレを生じる。そして、そのズレる量は物理的に「０」とすることは出来ない。
【０００６】
上記の「困りごと」に対する解決手段を具体的に提案している従来発明には、以下に挙げる特許文献１及び２がある。しかしながら、これらには、以下に説明するような問題点を有している。
【０００７】
特許文献１は、「読取光学系のバランス精度調整装置およびバランス精度調整方法」である。この発明では、今まで官能評価に頼っていた複数の位置の結像状態を定量的に測定評価する手段と、それを用いて、目標値内に「読取光学系Aのバランス精度調整」を行うことが提案されている。また目標値の許容設定「幅」を任意に設定することができることもあわせて提案されている。しかしながら、ただ、「目標値の許容設定「幅」」だけを設定可変にするだけでは、完成状態での公差幅を広げるだけの行為であり、結果として調整精度を落とすことになることが懸念される。
【０００８】
特許文献２は、「対物レンズの傾き調整装置」である。この発明では、調整する被調整光学系より観測された結果を元に、目標位置が表示手段により表示され、それに合わせて目標内にあわせこむことが提案されている。この方法でも、目標中心位置への誘導手段についての提案であり、光学系調整時に生ずるズレについては言及されていない。
【特許文献１】特開平８−８６９６２号公報
【特許文献２】特許第３５８１７０２号公報
【発明の開示】
【発明が解決しようとする課題】
【０００９】
上述した従来技術の問題点を簡単にまとめる。
特許文献１記載の従来技術は、目標値の許容設定幅だけを設定可変にしているため、完成状態での公差幅が広がり、調整精度を落とす懸念がある。
特許文献２記載の従来技術は、固着作業後のズレについての言及がなく、目標値（目標中心位置、又は、目標中央値）への誘導手段についてのみの技術である。
【００１０】
本発明は、上記従来技術の問題点に鑑みて、光軸調整値を目標値（目標中央値）に精度よく持っていくこと、及び、効率よく調整作業を行うことを目的とする。
【課題を解決するための手段】
【００１１】
上記目的を達成するためになされた、請求項１記載の発明は、光学系の光軸調整をする光軸調整手段と、該光軸調整手段による調整状態を検出する調整状態検出手段と、調整目標値を操作者の所望の値に設定する設定手段と、前記調整状態検出手段によって検出された前記調整状態と前記設定手段によって設定された前記調整目標値とを表示する表示手段と、前記調整状態が前記調整目標値を満足する状態であるか否かを演算して判定する演算手段と、を有することを特徴とする光軸調整装置である。
【００１２】
請求項２記載の発明は、請求項１記載の光軸調整装置において、１つの光学系につき調整を実行する箇所を複数有することを特徴とする。
【００１３】
請求項３記載の発明は、請求項１又は２記載の光軸調整装置において、前記設定手段は、前記調整目標値に応じて許容できる設定の幅である目標幅を、操作者の所望の幅に設定することを特徴とする。
【００１４】
請求項４記載の発明は、請求項３記載の光軸調整装置において、前記演算手段は、前記調整状態が前記目標幅の範囲内にあるか否かを判定し、該判定結果は、前記表示手段によって表示されることを特徴とする。
【００１５】
請求項５記載の発明は、請求項４記載の光軸調整装置において、前記判定結果は、前記表示手段によって表示色の色分けで表示されることを特徴とする。
【００１６】
請求項６記載の発明は、請求項４又は５記載の光軸調整装置において、前記判定結果は、前記表示手段によって記号で表示されることを特徴とする。
【００１７】
請求項７記載の発明は、請求項１から６のいずれか１項記載の光軸調整装置によって光軸を調整されて製造されることを特徴とする鏡胴ユニットである。
【００１８】
請求項８記載の発明は、請求項７記載の鏡胴ユニットを有することを特徴とする撮像装置である。
【００１９】
請求項９記載の発明は、光軸調整装置による光学系の光軸調整工程と、該光軸調整工程後に前記光学系を保持枠に固着する固着工程と、該固着工程後に生じたズレ量を測定するズレ量測定工程と、を有する事前評価工程と、前記ズレ量測定工程によって測定されたズレ量を加味して調整目標値を設定する目標値設定工程と、前記調整目標値に合わせて調整を実行する調整実行工程と、を有することを特徴とする鏡胴ユニットの製造方法である。
【発明の効果】
【００２０】
本発明によれば、光軸調整値を目標値（目標中央値）に精度よく持っていくこと、及び、効率よく調整作業を行うことが可能になる。
【発明を実施するための最良の形態】
【００２１】
〔実施形態の原理〕
実施形態の詳しい説明に入る前に、本実施形態の原理を簡単に説明する。
言うまでもなく、本実施形態は、上述した「困りごと」に対応するべく提供される。
【００２２】
すなわち、本実施形態は、あらかじめ固着作業後のズレ量を予測し、その値の分だけ調整目標値をずらすことで、光軸調整工程の完了状態（調整作業⇒固着作業⇒完了状態）において、光軸ズレ量を目標値以内に収めるようにする。あわせて、調整完了状態の判定結果を分かりやすく表示できる機能を設けて、作業者が判定エラーを起こすことによって懸念されるＮＧ品の次工程流出による工程品質の低下を防止する。
【００２３】
以下に、図面を参照して本発明の好適な実施の形態を説明する。なお、本発明は以下の実施形態に限定されるものではなく、要旨の逸脱しない限りにおいて種々の変形が可能である。
【００２４】
〔第１の実施形態〕
図１（ａ）は、本発明の好適な実施の形態に該当する光軸調整装置１００を示す図である。また、図１（ｂ）は、光軸調整装置１００が調整を実施する光学系１０１を示す図である。
【００２５】
図１（ｂ）に示すように、光学系１０１は、固定側１０２と調整側１０３の、２つのユニットを有して構成される結像光学系である。固定側１０２は、第１のレンズ群１１０と第２のレンズ群１１１を有して構成される。調整側１０３は、第３のレンズ群１１２と調整側駆動部１１３を有して構成される。
【００２６】
光軸調整装置１００は、固定側１０２に対して、調整側駆動部１１３を用いて調整側１０３を光軸に垂直な平面にシフトすることで、固定側１０２と調整側１０３の光軸を合わせる。図１中に示したｘ軸とｙ軸を有する平面が、その光軸に垂直な平面を表す。
【００２７】
図１（ａ）に示すように、光学系１０１の光軸調整の状態を検出するために、光学系１０１の物体側に調整用チャート１０４を配置し、像面側にチャート像の結像状態を検出する機能を担うＣＣＤユニット１０９を配置する。
また、このＣＣＤユニット１０９には、Ａ／Ｄ変換部１０５が接続されていて、ＣＣＤユニット１０９を制御するとともに、ＣＣＤユニット１０９より得られた検知信号を取り込みデジタル信号に変換する。得られたデジタル信号の内容は、演算部１０６を介して表示部１０７に表示される。
演算部１０６については、パソコンを含む電気計算機が使用できる。表示部１０７については、パソコンモニタを含むディスプレイが使用できる。
【００２８】
また、光軸調整装置１００は、演算部１０６に設定入力部１０８が接続されていて、操作者の操作入力が受け付けられる。設定入力部１０８における操作者の設定入力は直ちに演算部１０６で処理されて、調整値を目標値に合わせ込む調整動作の場合は、Ａ／Ｄ変換部１０５へ伝えられて、調整側駆動部１１３が駆動する。また、目標値又は目標範囲を設定する目標設定動作の場合は、図示しない記憶部がその値を記憶する。そして、いずれの場合も、操作入力は表示部１０７において可視的に表現される。
設定入力部１０８については、キーボード、マウスを含む周知の入力手段が使用できる。チルト式のスティック型入力装置、スライダー式の入力装置であってもよい。
【００２９】
次に、表示部１０７の表示を説明するための図を図２に示す。図２において、表示部１０７に表示する内容は、「調整場所表示部」と「数値表示部」と「グラフ表示部」とに分けられ、また、調整状態表示コラムｃ１と目標値表示コラムｃ２にそれぞれが調整状態と（調整）目標値とを表示する。
【００３０】
調整場所表示部は、調整を実行している位置を表示するエリアであり、本実施形態では図３を用いて後述するように「中心」「右上」「右下」「左下」「左上」などとする。なお、ここは他に例えば、座標で表現してもよい。
数値表示部は、調整状態又は目標値が、基準となる数値からどれだけ離れているかを数値で表現するエリアである。この数値で表現する構成によれば、操作者が精密な調整を行いやすくなるという効果が得られる。
グラフ表示部は、上記の数値表示部と同じ内容を、グラフを用いて視覚的に表現するエリアである。このグラフで表現する構成によれば、操作者が直感的な調整を行いやすくなるという効果が得られる。
【００３１】
調整状態表示コラムｃ１のグラフ表示部には、調整値表示ａ１が表示されて、調整結果がグラフィカルに表現される。目標値表示コラムｃ２のグラフ表示部には、目標値表示ａ２が表示されて、操作者が設定した目標値がグラフィカルに表現される。
【００３２】
本実施形態では、調整した結果を表示する箇所を、「中心」「右上」「右下」「左下」「左上」の５箇所とする。なお、この表示する箇所は、この５箇所に限定されることはなく、何箇所でもよい。
上記のように、調整した結果を光学系の中心位置の調整結果だけでなく、周辺部の主要な位置の調整結果も対象として実施することで、より調心ズレの状態把握が精密に可能になる。特に撮影光学系は、中心よりも周辺部における調心ズレの検出精度が高いので、「複数位置：中心及び周辺部等の複数位置」で実施することによる調心精度向上の効果は大きい。
【００３３】
次に、表示部１０７の一表示例を図３に示す。
図３において、調整実施場所を５箇所に設定し、その５箇所とも、「目標値」は「±０」で設定する場合を例示した。
設定した目標値と調整した結果は、図３のように数値とグラフで表示する。このことについては既に図２を参照して説明した。
【００３４】
図３に示した目標値は、設定入力部１０８の操作によって操作者の所望の値にそれぞれ設定することができる。その設定操作を実行した結果を表示した表示例を示す図が図４である。詳細に説明すると、上記５箇所について、設定入力部１０８によって操作者が目標値を入力することにより、目標値表示コラムｃ２の数値表示部に（同時にグラフ表示部も）、目標値を入力する。図４に示した例は、それぞれの調整実施箇所における目標値を、「中心：０」「右上：０」「右下：−２」「左下：−２」「左上：０」と設定している。
【００３５】
このような内容で設定し、光学系１０１の光軸調整作業において、操作者は、これら目標値に対して調整が満足できるように調整作業を行う。また、設定入力部１０８より入力する目標値は、事前評価などにより得られたズレ量の結果より設定される。
図５は、その調整作業後の表示部１０７における表示の一例を示す図である。
【００３６】
上述した本実施形態の機能と動作を確認すると、図３・図４・図５に示すように、本実施形態では、「中心」「右上」「右下」「左下」「左上」の５箇所の位置より検出された調整結果を表示するとともに、それぞれに「目標値」を入力する機能を持たせているということである。
【００３７】
また、光軸調整装置１００は、設定入力部１０８より任意の「目標幅」を入力して、「目標値」のみならず「目標幅」も設定できる。図６は、その設定をしたときの表示部１０７における表示例を示す図である。
上記の設定をすることで、（モニター画面などが好適である）表示部１０７に「目標幅表示」が表示される。その目標幅表示は例えば、図６の目標値表示コラムｃ２における、網掛け部分（以下、目標幅表示部）である。操作者は、この「目標幅表示部」に、調整値表示ａ１が目標幅に入るように、調整側駆動部１１３を用いて調整側１０３を「光軸に垂直な平面」にシフトさせて調整を行う。
【００３８】
また、上記目標幅を設定した場合、調整値が目標幅内にあるかないかを操作者に対して容易に判別できるようにする。その例を図７と図８に示す。
図７は、目標幅設定後調整値を目標値に合わせたケースの表示部１０７における表示例である。目標値を標準よりずらして指定した「目標値」と「目標幅」に対して「調整値」が、その範囲内に入っていることを示すことで、目標調整作業が達成されたこと（又は規格範囲内であること）を表示する。
また、図８では調整結果が調整範囲外であることを示している。図８において、矢印で示した「右下」は、「調整値」が「目標幅」に対して外れており、調整結果が規格範囲外（調整範囲外）であることを示している。
【００３９】
また、図７と図８を参照して説明した、調整結果が規格範囲内にあるか規格範囲外にあるかを視覚的に表現する構成は、図９、図１０、図１１に例示する視覚効果を伴うことが好ましい。
【００４０】
図９は、表示部１０７の一表示例であり、（ａ）は調整値を目標幅内に収めたケースで、（ｂ）は目標値と目標幅を設定入力する際の表示例を示す図である。
図９（ａ）において、調整値表示コラムｃ１の数値表示部は、前回調整値測定を実行したときに得た測定値を表示したままであるが、グラフ表示部は、操作者の操作をリアルタイムに反映して表示する。そして、その操作が規格に適合していることを、色分けして表示する。
一例を挙げると、「現在の調整状態の値「黒色部：現在の調整状態の値表示」」が「黄色部：目標幅表示」の範囲内になった場合、「ピンク色部：調整表示範囲の表示」部分を「緑色：全ての調整パラメータが目標範囲内になった場合の表示」をする。
【００４１】
図９（ａ）に対して図１０は、現在の調整値が規格に適合していないことを示す表示例である。
図１０において色分けして規格に適合していないことを示す表示例の一例を挙げると、「現在の調整状態の値「黒色部：現在の調整状態の値表示」」が「黄色部：目標幅表示」の範囲内にならない位置が1箇所でもある場合は、該当する範囲外の部分（本例では右下）を「赤色：調整目標値範囲外の表示」とするとともにそれ以外の位置を「ピンク色部：調整表示範囲の表示」のままとして、「調整作業中表示」とする。
【００４２】
図１０の表示例では「色分け」という視覚効果を利用したが、加えて「記号」を利用することが好ましい。例を図１１に示す。「現在の調整状態の値「黒色部：現在の調整状態の値表示」」が「黄色部：目標幅表示」の範囲内になった場合、判定ＯＫのサインとして「緑色の○」表示をする。「現在の調整状態の値「黒色部：現在の調整状態の値表示」」が「黄色部：目標幅表示」の範囲内にならない位置が1箇所でもある場合は、判定ＮＧのサインとして「赤色の×」表示をする。
【００４３】
〔第２の実施形態〕
上記の実施形態の他に、本発明は第２の実施形態として、「鏡胴ユニット」を提供する。「鏡胴ユニット」とは、上記第１の実施形態における図１に挙げた、第1のレンズ群１１０と第２のレンズ群１１１を有して構成された固定側１０２と、第３のレンズ群を有して構成された調整側１０３と、を有して構成された光学系１０１である。光学系１０１の構成は、すなわち鏡胴ユニットを示す。
【００４４】
なお、補足事項であるが、上記第１及び第２の実施形態は、言うまでもなくレンズ群の数を３つに限るものではなくＮ（Ｎは自然数）個のレンズ群にまで一般化できる。
本実施形態は、第1のレンズ群１１０と第２のレンズ群１１１を有して構成された固定側１０２と、第３のレンズ群を有して構成された調整側１０３と、という想定で、いわゆる「レンズ群」と「レンズ群」との間の調整を例にあげたが、同様に「第N群：Nは１群・２群などのレンズ群の位置」を示す。
【００４５】
光学系１０１の変形例である調整用鏡胴ユニット１０１ａを示す図である図１２を参照して一例を挙げると、第２のレンズ群１１１の群内を構成する複数のレンズ対レンズの光軸調整でも同様の調整表示結果を表示させることが可能である。
その場合、図１におけるＣＣＤユニット１０９より前部に構成されている光学系１０１（本第２の実施形態においては鏡胴ユニット）の部分を、図１２の調整用鏡胴ユニット１０１ａと置き換えることで、第Ｎ群（図１２の例示では第２群に相当する）の群内のレンズの光軸調整へも展開ができる。
【００４６】
図１２において、被調整レンズ１１１ａをレンズ１１１ｂに対して光軸調整をする。その際、操作者は、被調整レンズ駆動部１１１ｃを用いて、光軸に対して垂直な平面と平行に、被調整レンズ１１１ａをシフト移動させて光軸調整作業をすることが好ましい。
【００４７】
〔第３の実施形態〕
上記の実施形態の他に、本発明は第３の実施形態として、撮像装置を提供する。上記の光学系１０１及び調整用鏡胴ユニット１０１ａは、カメラを構成することが可能な撮影レンズである。図１３を参照して製造工程を説明する。
【００４８】
図１３は、光軸調整装置１００を使って光学系１０１（又は調整用鏡胴ユニット１０１ａ）を製造する工程を示すフローチャート図である。
ステップＳ１において、操作者は調整工程に入る前の準備として、事前評価を行う。光学系の光軸調整又は調心を施した後、固着工程を経て、どれだけのズレ量が生じるかを測定する。
ステップＳ２において、調整工程が始まる。調整工程は、光軸調整装置１０１を用いて光学系１００に調整を施す光軸調整工程であり、ステップＳ３からステップＳ８間での工程を繰り返す。繰り返し回数は操作者が所望の回数を設定する。
【００４９】
ステップＳ３において、ＣＣＤユニット１０９は、調整側１０３の、第３のレンズ群１１２の調整状態を検知し、検知された調整状態はＡ／Ｄ変換部１０５において電子計算機が処理できる形式に変換され、表示部１０７に表示される。
ステップＳ４において、操作者は上記のステップＳ１において得られたズレ量を加味した目標値を、設定入力部１０８を用いて演算部１０６に設定する。また、目標幅もここで設定することが好ましい。
【００５０】
ステップＳ５において、ステップＳ４において設定された目標値に合わせるように、操作者は調整を実行する。
ステップＳ６において、演算部１０６は、ステップＳ５における調整実行を経て調整値が目標値又は目標幅の中にあるか否かを判断して、その後のフローを分岐する。
【００５１】
ステップＳ６においてＹｅｓであれば、ステップＳ７において、表示部１０７は規格に適合した旨を表示する（このことをＯＫ表示という）。
ステップＳ６においてＮｏであれば、ステップＳ８において、表示部１０７は規格に適合しなかった旨を表示する（このことをＮＧ表示という）。
【００５２】
以上の製造工程を含む工程を経て本発明の一実施形態に係る撮像装置は製造される。
以上で、本発明の好適な実施の形態の、構成と動作についての説明を終え、以下に、その構成と動作がもたらす作用効果について説明する。なお、この作用効果の説明の中では、「光軸調整」に換えて「調心」の用語を使うことがある。
【００５３】
上記実施形態によれば、調心（又は、光軸調整）作業において、調心作業後の固着作業などで発生する調整位置のズレをあらかじめ事前評価等で把握しておき、そのズレ量を加味して最初の調心調整位置の目標値を設定し、その位置へ調整することで、調心した後の固着作業後の完成状態において、調心位置を目標中央値に持っていくことが可能となる。そのため、固着作業などで生じていた調心ズレによる調心誤差を排除することが出来る為、調心時の調整公差幅を広げるといった方式を取る必要がない。そのため調心精度を上げることが可能となる。
【００５４】
また、上記実施形態によれば、目標幅を設定することで、オペレータ（又は、操作者）が調心作業を行う際、調整作業時の狙い位置を把握しやすい。そのため、調整作業にかける作業時間が短縮でき、効率よく調整作業を行うことが出来る。そのため、調心作業へ投入できる数量を上げることが出来、生産効率を上げられることで、コストダウンと調整精度向上の両立ができる。
【００５５】
また、上記実施形態によれば、オペレータが調心調整作業を行ったユニットが、調心状態が目標幅に入っていない場合、それはＮＧ品として次工程へ投入することはできない。そのため、指定の目標幅に対して、現状の調整状態がＯＫなのかＮＧなのかが分かるようにする必要がある。ＮＧならば再度調心調整作業を継続しＯＫとなることを確認することや、調整してもＯＫにならないものはＮＧとして工程から排除することで、工程品質を維持する必要がある。表示部１０７の表示機能に規格範囲内なのか範囲外なのかを表示させることで、作業者（又は、オペレータ、或いは、操作者）に調整したユニットがＯＫ品なのかＮＧ品なのかを認識させることが可能となり、ＮＧ品を工程より排除することで、次工程に流すことなく工程品質を維持することができる。
【００５６】
また、上記実施形態によれば、表示部１０７の有する表示機能に規格範囲内なのか範囲外なのかを表示画面の「表示色：ＯＫならグリーン表示／ＮＧならば赤色表示」等を決めて表示させることで（つまり色分けで表示させることで）、作業者が判定ミスを発生させること無く確実に判定結果を認識することができる。その為、作業者が誤ってＮＧ品を次工程に流すことを防止することができ、工程品質を維持することができる。
【００５７】
また、上記実施形態によれば、表示部１０７の有する表示機能に規格範囲内なのか範囲外なのかを表示画面の「表示記号：ＯＫならグリーンの○印／ＮＧならば赤色の×印」等を決めて表示させることで（つまり記号で表示させることで）、作業者が判定ミスを発生させること無く確実に判定結果を認識することができる。その為、作業者が誤ってＮＧ品を次工程に流すことを防止することができ、工程品質を維持することができる。
【００５８】
また、上記実施形態によれば、工程内でＯＫと判定されたユニットで鏡胴ユニットを構成することが可能となり、高品質の鏡胴ユニットを提供することができる。
【００５９】
また、上記実施形態によれば、工程内で良品と判定された鏡胴ユニットにより撮像装置（カメラ）を構成することが可能となり、高品質の撮像装置を提供することができる。
【産業上の利用可能性】
【００６０】
光学系全般の偏心調整装置の表示装置に利用可能性があり、有用性がある。
【図面の簡単な説明】
【００６１】
【図１】本発明の一実施形態に該当する光軸調整装置１００の構成図である。
【図２】図１の表示部１０７の表示例を説明するための図である。
【図３】図１の表示部１０７の一表示例である。
【図４】図１の表示部１０７の一表示例（目標値を設定入力したケース）である。
【図５】図１の表示部１０７の一表示例（調整値を目標値に合わせたケース）である。
【図６】図１の表示部１０７の一表示例（目標幅を設定したケース）である。
【図７】図１の表示部１０７の一表示例（目標幅設定後、調整値を目標値に合わせたケース）である。
【図８】図１の表示部１０７の一表示例（調整値が目標幅を外れたケース）である。
【図９】図１の表示部１０７の一表示例であり、（ａ）は調整値を目標幅内に収めたケースで、（ｂ）は目標値と目標幅を設定入力する際の表示例を示す図である。
【図１０】図１の表示部１０７の一表示例（ある調整実行箇所において調整値が目標幅内にないケース、またそのことを色の変化で表示するケース）である。
【図１１】調整値が目標幅内にないことを記号で表示する例を示す図であり、（ａ）は規格内に収まったことを示し、（ｂ）は規格内に収まらなかったことを示す。
【図１２】図１の光学系１０１の変形例である調整用鏡胴ユニット１０１ａを示す図である。
【図１３】図１の光軸調整装置１００を使って光学系１０１を製造する工程を示すフローチャート図である。
【符号の説明】
【００６２】
１００    光軸調整装置
１０１    光学系
１０１ａ    調整用鏡胴ユニット
１０２    固定側
１０３    調整側
１０４    調整用チャート
１０５    Ａ／Ｄ変換部
１０６    演算部
１０７    表示部
１０８    設定入力部
１０９    ＣＣＤユニット
１１０    第１のレンズ群
１１１    第２のレンズ群
１１１ａ    被調整レンズ
１１１ｂ    レンズ
１１１ｃ    被調整レンズ駆動部
１１２    第３のレンズ群
１１３    調整側駆動部
ａ１    調整値表示
ａ２    目標値表示
ｃ１    調整状態表示コラム
ｃ２    目標値表示コラム
【図１】
2008046571.tif 000003
【図２】
2008046571.tif 000004
【図３】
2008046571.tif 000005
【図４】
2008046571.tif 000006
【図５】
2008046571.tif 000007
【図６】
2008046571.tif 000008
【図７】
2008046571.tif 000009
【図８】
2008046571.tif 000010
【図９】
2008046571.tif 000011
【図１０】
2008046571.tif 000012
【図１１】
2008046571.tif 000013
【図１２】
2008046571.tif 000014
【図１３】
2008046571.tif 000015